(57)【要約】【課題】体型の違いにも対応でき一般的な椅子や座椅子にも適用可能で骨盤を左右から包み込み押圧しつつ腹部に圧迫をかけない低コストの着座姿勢矯正及び腹筋運動等が簡単に実施できる用具を提供する。【解決手段】  臀部と背骨の形状に沿った腰クッションと伸縮性のあるバンドを利用して左右から骨盤を包み込みながら押圧する骨盤サポートクッションにより着座姿勢を安定させ、薄い板状の骨盤サポート板と骨盤サポートクッションにより隙間をつくり腹部の圧迫を軽減する。パーツに分けられ構造を簡素にしつつ製造にも特殊な機材を必要とせず、部材も安価に調達可能なもので構成する。【選択図】図１
2015006244.tif 000002
【特許請求の範囲】
【請求項１】
背面部に正しい着座姿勢とされる背中の形状にフィットする弾性体を配し、背面部の両端に固定された左右対象で湾曲可能な薄い板状の部材があり、それぞれの内側には骨盤及び脇腹を横から包み込む弾性体を配し、薄い板状の部材に固定された伸縮率３００％程度の矩形の薄い弾性体を両側から引っ張り、腹部中央で締め付け着脱可能な構造の骨盤サポート部があり、使用時背面部、骨盤サポート部が上に移動しないための座面を有し、強く引き締めても骨盤サポート部の薄い板状の部材とその内側に配置された弾性体により腹部中央への圧迫を緩和することを特徴とする着座姿勢矯正及びトレーニング用具。
【請求項２】
背面部にスリット状の開口部を左右に設け、そこへ骨盤サポート部の薄い板状の部材を挿入し挿入の深さにより長さを調整し、背面部と着脱可能な構造で接合することが可能な請求項１記載の着座姿勢矯正及びトレーニング用具。
【請求項３】
背面部に正しい着座姿勢とされる背中の形状にフィットする弾性体を着脱可能な構造で高さを調整できる請求項１及び請求項２記載の着座姿勢矯正及びトレーニング用具。
【請求項４】
椅子もしくは座椅子と一体化した請求項１及び請求項２及び請求項３記載の着座姿勢矯正及びトレーニング用具。
【発明の詳細な説明】
【技術分野】
【０００１】
本発明は、椅子、座椅子等の着座姿勢矯正及びトレーニング用具に関する。
【背景技術】
【０００２】
椅子、座椅子等に適用する着座用具に関しては、背筋や骨盤の位置を矯正する目的のものが数多く知られている。座面や背あての形状の工夫で背骨をきれいなS字カーブを描く様に設計されている。
しかし、座面や背あて等の形状だけによる姿勢矯正の場合、最初は意識することで正しい姿勢を保持できたとしても次第に姿勢が、くずれがちである。また多くは使用者の体型の違いに関して考慮されておらず、不適合な場合その効果が期待できないことがある。
座面や背あてに加えて使用者を固定する手段として空気圧を利用した特許文献１に開示された骨盤付近を押圧する方法もあるが、機構が複雑になりコストがかかるだけでなく椅子と一体型となっており、一般的な椅子や座椅子には適用できない問題がある。
【０００３】
ベルトを利用した姿勢矯正用の椅子としては特許文献２に開示されたものがあるが、これは骨盤を取り囲む様にバンドによって締めつけ身体の前滑りを防止する目的である。バンドでは骨盤を支える力としては左右の傾きに弱く、しっかり締めると腹部も圧迫される。それを補うため開閉自在なアームによって支える実施例も記されているが、これも機構が複雑になりコストがかかるだけでなく、これも一体型となっており、一般的な椅子や座椅子には適用できない。
【０００４】
ベルトにより締めつけた際、腹部の圧迫を緩和する方法としては、特許文献３に開示されたものがあるが、これは妊婦や腹部に障害のある人でも腹部の圧迫を緩和し、シートベルトが着用できる様に工夫されたものである。事故発生時のシートベルトの腹部への強い締めつけを緩和させる目的であり通常時は軽くベルトを巻いているに過ぎず骨盤を押圧して姿勢を保持するものではない。
【０００５】
腹筋トレーンニングに関しては特許文献４に開示されたものがあるが、一般的な座椅子に腹筋トレーニング用として脚部を固定する機能を有したものである。ただし運動時は強い力がかかる為、強固な構造が必要でありコストがかかることと一般的な椅子や座椅子に適用できない問題がある。
【先行技術文献】
【特許文献】
【０００６】
【特許文献１】特開２００９-２１９  骨盤矯正椅子
【特許文献２】特開平１０-１４６２４１  背筋を伸ばす椅子
【特許文献３】特開２００６-１０３４４７  シートベルト腹部圧迫軽減クッション
【特許文献４】特開２００７-２０２７６０  座椅子型トレーニング器具
【発明の概要】
【発明が解決しようとする課題】
【０００７】
一般的な椅子や座椅子にも適用可能で脇腹及び骨盤を左右から包み込み押圧しつつ腹部中央に圧迫をかけず、体格の違いにも対応した低コストの着座姿勢矯正及び腹筋等のトレーニングが可能な用具を提供することを主たる目的とする。
【課題を解決するための手段】
【０００８】
本発明は、図１に記している様に両側から骨盤と脇腹をつつみ込む形状である。
図２は使用する前の図である。２−Aは正面図、２−Bは背面図、２−Cは側面図、２−Dは上面図である。
図３で記している様に使用する。図３の３−Aは使用状況の斜視図、３−Bは正面図、３−Cは側面図、３−Dは上面図である。
【０００９】
図４に記している様に、背面部、腰クッション部、左右骨盤サポート部、座面部に分けられる。
背面部の背面カバー１は長さ70〜80cm、高さ25〜30cm程度の扁平した半円状で素材は比較的丈夫な生地や皮革等で良い。
トレーニング用として使用する際はねじれや湾曲がおこり負荷がかかるので多少伸縮性がある方が好ましい。
形状を保持するため数ミリ厚で湾曲可能な合成樹脂製（ポリプロピレン等）の背面カバー板６が中に入れられる様に底辺が開口した袋状となっている。
【００１０】
背面カバー１の内側には底辺に沿って幅４０〜４５cm高さ１５〜２０cm程度の矩形で左右両端が開口している背面カバースリット３がある。これに右骨盤サポート板１４と左骨盤サポート板３４を挿入する。素材は背面カバー板６と同様のものである。挿入の度合いにより長さを調整できる構造となっている。なお、ここで記述する前方、手前、内側、外側、左右とは着座した人を基準としている。
背面カバースリット３には、腰クッションベース２２を固定する為の高さ１０cm、幅３．５cm程度の腰クッションベース用面ファスナーオス２が左右対象に固定されている。
背面カバー１の左右両端には右骨盤サポート用面ファスナーオス５と左骨盤サポート用面ファスナーオス４が固定されている。
【００１１】
右骨盤サポート部は、右骨盤クッション１１、右骨盤サポートカバー1２、右骨盤サポート板１４、右バンド１６、右パッド１７から構成されている。
右骨盤クッション１１は低反発の弾性体で、右骨盤サポートカバー1２の内側に固定する。
【００１２】
右骨盤サポートカバー1２は左右両端が開口した袋状で、素材は背面カバー１と同様で良い。
背面部の右骨盤サポート用面ファスナーオス５と接合する為の長さ１０〜１５cm、高さ３．５〜５cm程度の右骨盤サポート面ファスナーメス１３が外側に固定されている。
右骨盤サポートカバー1２の長さは２５〜３０cm高さは手前で１５〜２０cm前方では底辺が上昇カーブを描き１０〜７cm程度である。
手前と前方で高さが違うのは２つの理由がある。
１・右パッド１７と左パッド３７を引っ張って腹部中央で接合させ使用する際、太腿部分に当接しないようにする為。
２・右パッド１７と左パッド３７を引っ張って腹部中央で接合させ使用する際、右骨盤サポート板１４が抜けることを防ぐ為。
【００１３】
右骨盤サポート板１４の外側には右バンド用面ファスナーオス１５が固定されている。右骨盤サポート板１４の素材は背面カバー板６と同様で良い。
右骨盤サポート板１４の長さは４０〜４５cm高さは手前で１５〜２０cm前方では底辺が上昇カーブを描き１０〜７cm程度である。前方の形状は右骨盤サポートカバー1２に沿った形である。
【００１４】
右バンド１６は伸縮率３００％程度、長さ１５〜２０cm、高さ10〜５cm程度の薄い弾性体であり、右バンド面ファスナーメス１９が内側に固定されている。
右パッド１７は右バンド１６の先端に固定され、内側には左パッド面ファスナーメス３８と接合する為の右パッド面ファスナーオス１８が固定されている。
【００１５】
図５で記している様に、右骨盤サポート板１４の右バンド用面ファスナーオス１５と右バンド面ファスナーメス１９を接合し右骨盤サポートカバー1２を挿入することで右骨盤サポート部は出来上がる。
その後、右骨盤サポート板１４を背面カバースリット３に長さを調整しながら挿入し、右骨盤サポート用面ファスナーオス５と右骨盤サポート面ファスナーメス１３を接合する。これを接合させる位置により右骨盤サポート部の長さを調整するとともに背面部と右骨盤サポート部が接続される。
【００１６】
左骨盤サポート部は右パッド面ファスナーオス１８と接合する左パッド面ファスナーメス３８が左パッド３７の前方に固定されている部分を除き右骨盤サポート部と左右対象であり素材を含め同様である。
【００１７】
腰クッション部は弾性体で作られた腰クッション２１と腰クッションベース２２で構成される。
腰クッション２１は使用者の背中にフィットする低反発の弾性体が好ましい。一方腰クッションベース２２は、臀部が当接する部分であるが腰クッション２１を支える為高反発の弾性体が好ましい。２つは固定されるが一体型でもかまわないし、面ファスナー等で接合してもかまわない。
腰クッションベース２２の裏側には腰クッションベース面ファスナーメス２３が固定されおり、背面カバースリット４に固定されている腰クッションベース用面ファスナーオス２と接合することで背面部と腰クッション部が接合される。
腰クッションベース用面ファスナーオス２と腰クッションベース面ファスナーメス２３は、高さが１０cm程度あり接合させる位置によって高さを調整できる。座面２４の上に厚手のクッションを使用した場合や体型の違いや好みにより腰クッション２１が背中にあたる位置を調整したい時に利用する。
【００１８】
座面部は背面カバー１の底面に沿って座面２４を縫製する。座面２４はカーブを描いており背面カバー１の底辺と縫製することで背面部は湾曲した形状となる。素材は背面カバー１と同様で良いが、すべりにくい素材が好ましい。すべりやすいと臀部が前にずれて姿勢が悪くなるからである。裏表の面に滑り止め用のシートを固定しても良い。
本発明は、図１２、図１３記している様に一般的な背もたれのある椅子や座椅子に乗せて使用することを想定しており、座面のクッションは好みに応じて使用できる様に省いている。
また、腰クッション２１、右骨盤クッション１１、左骨盤クッション３１は、形状を調整しやすい発泡ビーズを使用したクッションでも良い。
右パッド１７と左パッド３７を接合する方法においては、フック等を利用したものでもかまわない。
また、接合するための面ファスナーのオスメスに関しては逆でも特に問題はない。
【００１９】
図６は、使用時の人物を省いた時の図である。図６の６−Aは使用状況の斜視図、６−Bは正面図、６−Cは側面図、６−Dは上面図である。
一般的な椅子や座椅子の座面にはクッション性のある部材が使用されているので、座面24は人物の重さにより歪む。左右の右骨盤クッション１１、左骨盤クッション３１、奥の腰クッション２１は低反発の弾性体なのでその人の体型に応じて変形する。
【００２０】
図７は、使用時の上から見た図であるが人物の腹部断面４１でわかる様に左右の骨盤サポート板と骨盤クッションによって隙間ができることにより腹部前方には、ほとんど圧迫を与えない構造となっている。
好ましくは、下腹部中央で接合された骨盤サポートパッドの角度で姿勢の状況が確認できる。ほぼ垂直になっていれば正しい姿勢を保っている状態であり、斜めに傾いている場合は骨盤が後方に倒れ、背骨に圧迫がかかった状態である。ギブスの様に腰や背中を固定しない限りどうしても姿勢は崩れがちである。正しい姿勢で重要なのは、意識することであるが、本発明は、骨盤サポートパッドの角度と腰クッション２１への圧力のかかり具合で姿勢を意識することが可能となっている。
【００２１】
使用する方法は臀部が腰クッションベース２２に接する様に深く腰掛け、腰クッション２１に背骨が軽く当たる程度にする。図８はその時の背骨の形状と腰クッション断面図５１と腰クッションベース断面図５２である。臀部と腰が腰クッション部に、かるくあたる程度で背骨がきれいなカーブを描く。
次に右骨盤サポートパッド１７を前方に左骨盤サポートパッド３７を手前にして下腹部の中央で右骨盤サポートパッド面ファスナーオス１８と左骨盤サポートパッド面ファスナーメス３７を接合する。
これにより右骨盤サポートパッド１７に固定された右バンド１６と左骨盤サポートパッド３７に固定された左バンド３６が伸び、その反作用で左右の骨盤サポート板が内側の骨盤クッションを広く面で押圧する。押圧された左右の骨盤クッションは骨盤の側面及び脇腹を包み込む様にフィットして圧力がかかり、着座姿勢を保持する。
図９は使用時の背骨と骨盤の形状と左骨盤クッション断面図５３と右骨盤クッション断面図５４を表した正面図である。骨盤クッションは低反発なので身体にフィットし包み込む様にして心地良く姿勢を安定させる。図９に記している様に骨盤の上部は皮膚と骨までの厚さが少なく多少強く圧迫してもそれほど不快にはならない。
【００２２】
図10は、背面カバースリット４に挿入された骨盤サポート部を体型に応じスライドさせた時の図である。左はウエストサイズ細い場合で右が太い場合の図である。
図１１は右骨盤サポート部の長さ調整を説明するための上から見た断面図である。骨盤サポート部の長さが短い時（左側の図）は右骨盤サポート面ファスナーメス１３の下の部分に右骨盤サポート用面ファスナーオス５に接合されているが、骨盤サポート部の長さが長い時（右側の図）右骨盤サポート面ファスナーメス１３の上の部分に右骨盤サポート用面ファスナーオス５に接合されている。この右左の骨盤サポート面ファスナーメスの長さ（幅）が長い程調整の幅は広がる。
【００２３】
ウエストサイズは個人差があるが、骨盤サポート部の長さは左右合わせて２０cm程度調整可能であり、左右の骨盤サポートパッドに固定されたバンドの長さは約１５〜２０cmで伸縮率は３００％程度ありほとんどの人が利用可能である。
【発明の効果】
【００２４】
本発明の効果を以下に記す。
１・骨盤上部及び脇腹を左右から包み込み押圧しつつ腹部には圧迫をかけない構造で座位の姿勢を安定させる。
２・体格や好みに応じ骨盤サポート部の長さ及び腰クッション部の高さが調整可能であり、多くの人が利用できる。
３・汎用的な部材及び大量生産されている一般的なクッションを利用し製造に特殊な機器等の必要もなく比較的低コストで生産可能である。
４・装着した状態で前にかがむと、伸縮性のあるバンドが伸びその負荷を利用して腹筋運動ができる。
５・骨盤上部及び脇腹を両側から包み込み押圧することで、交感神経が刺激され、しばらくすると、その部分の体温は上昇しダイエット効果が期待できる。
一般的に体温が１度上がると、基礎代謝量は10〜12%上昇すると言われており、特に冷え症が多い女性には効果的である。また一定時間の押圧と緩和を繰り返すことで背中及び脇腹を刺激しリンパの流れを促進させる効果もある。
６・疲れた時に後ろに上体を反らすことにより図１７に記している様に腰クッション２１が背中を強く押圧し、心地良く背筋を伸ばすことができる。
【図面の簡単な説明】
【００２５】
【図１】図１は使用する前の斜視図である。
【図２】図２は使用前の正面、背面、側面、上面図である。
【図３】図３は使用時の斜視、正面、側面、上面図である。
【図４】図４は主要となるパーツを分解した平面図である。
【図５】図５は右骨盤サポート部のパーツ組立図である。
【図６】図６は使用時の人物を除いた斜視、正面、側面、上面図である。
【図７】図７は骨盤サポート部が腹部前方を圧迫しないことを説明する上面図である。
【図８】図８は使用時の背骨の形状と腰クッションを表した側面図である。
【図９】図９は使用時の背骨と骨盤の形状と骨盤サポートクッションを表した正面図である。
【図１０】図１0は骨盤サポート部の幅の調整を説明するための斜め上から見た図である。
【図１１】図１1は骨盤サポート部の幅の調整を説明するための上面図である。
【図１２】図１2は一般的な椅子に適用したときの斜視図である。
【図１３】図１3は一般的な座椅子に適用したときの斜視図である。
【図１４】図１4は椅子と一体型にしたときの斜視図である。
【図１５】図１5は座椅子と一体型にしたときの斜視図である。
【図１６】図１6は腰クッション部の展開例の斜視図である。
【図１７】図１7は本発明を利用して椅子に座り、腹筋及びふくらはぎの運動を実施している側面図である。
【図１８】図１8は本発明を利用して椅子に座り、腹筋及び太腿の運動を実施している側面図である。
【図１９】図１9は本発明を利用して座椅子に座り、腹筋運動を実施している側面図である。
【図２０】図20は腰クッションを利用して腰のストレッチを表した側面図である
【発明を実施するための形態】
【００２６】
図４に記している様に、背面部、腰クッション部、左右骨盤サポート部、座面部に分けられる。
【００２７】
背面部の背面カバー１は長さ70〜80cm、高さ25〜30cm程度の扁平した半円状で素材は比較的丈夫な生地や皮革等で良い。
トレーニング用として使用する際はねじれや湾曲がおこり負荷がかかるので多少伸縮性がある方が好ましい。
形状を保持するため数ミリ厚で湾曲可能な合成樹脂製（ポリプロピレン等）の背面カバー板６が中に入れられる様に底辺が開口した袋状となっている。
【００２８】
背面カバー１の内側には底辺に沿って幅４０〜４５cm高さ１５〜２０cm程度の矩形で左右両端が開口している背面カバースリット３がある。これに右骨盤サポート板１４と左骨盤サポート板３４を挿入する。素材は背面カバー板６と同様のものである。挿入の度合いにより長さを調整できる構造となっている。なお、ここで記述する前方、手前、内側、外側、左右とは着座した人を基準としている。
背面カバースリット３には、腰クッションベース２２を固定する為の高さ１０cm、幅３．５cm程度の腰クッションベース用面ファスナーオス２が左右対象に固定されている。
背面カバー１の左右両端には右骨盤サポート用面ファスナーオス５と左骨盤サポート用面ファスナーオス４が固定されている。
【００２９】
右骨盤サポート部は、右骨盤クッション１１、右骨盤サポートカバー1２、右骨盤サポート板１４、右バンド１６、右パッド１７から構成されている。
右骨盤クッション１１は低反発の弾性体で、右骨盤サポートカバー1２の内側に固定する。
【００３０】
右骨盤サポートカバー1２は左右両端が開口した袋状で、素材は背面カバー１と同様で良い。
背面部の右骨盤サポート用面ファスナーオス５と接合する為の長さ10〜１５cm、高さ３．５〜５cm程度の右骨盤サポート面ファスナーメス１３が外側に固定されている。
右骨盤サポートカバー1２の長さは２５〜３０cm高さは手前で１５〜２０cm前方では底辺が上昇カーブを描き１０〜７cm程度である。
手前と前方で高さが違うのは２つの理由がある。
１・右パッド１７と左パッド３７を引っ張って腹部中央で接合させ使用する際、太腿部分に当接しないようにする為。
２・右パッド１７と左パッド３７を引っ張って腹部中央で接合させ使用する際、右骨盤サポート板１４が抜けることを防ぐ為。
【００３１】
右骨盤サポート板１４の外側には右バンド用面ファスナーオス１５が固定されている。右骨盤サポート板１４の素材は背面カバー板６と同様で良い。
右骨盤サポート板１４の長さは４０〜４５cm高さは手前で１５〜２０cm前方では底辺が上昇カーブを描き１０〜７cm程度である。前方の形状は右骨盤サポートカバー1２に沿った形である。
【００３２】
右バンド１６は伸縮率３００％程度、長さ１５〜２０cm、高さ10〜５cm程度の薄い弾性体であり、右バンド面ファスナーメス１９が内側に固定されている。
右パッド１７は右バンド１６の先端に固定され、内側には左パッド面ファスナーメス３８と接合する為の右パッド面ファスナーオス１８が固定されている。
【００３３】
図５で記している様に、右骨盤サポート板１４の右バンド用面ファスナーオス１５と右バンド面ファスナーメス１９を接合し右骨盤サポートカバー1２を挿入することで右骨盤サポート部は出来上がる。
その後、右骨盤サポート板１４を背面カバースリット３に長さを調整しながら挿入し、右骨盤サポート用面ファスナーオス５と右骨盤サポート面ファスナーメス１３を接合する。これを接合させる位置により右骨盤サポート部の長さを調整するとともに背面部と右骨盤サポート部が接続される。
【００３４】
左骨盤サポート部は右パッド面ファスナーオス１８と接合する左パッド面ファスナーメス３８が左パッド３７の前方に固定されている部分を除き右骨盤サポート部と左右対象であり素材を含め同様である。
【００３５】
腰クッション部は弾性体で作られた腰クッション２１と腰クッションベース２２で構成される。
腰クッション２１は使用者の背中にフィットする低反発の弾性体が好ましい。一方腰クッションベース２２は、臀部が当接する部分であるが腰クッション２１を支える為高反発の弾性体が好ましい。２つは固定されるが一体型でもかまわないし、面ファスナー等で接合してもかまわない。
腰クッションベース２２の裏側には腰クッションベース面ファスナーメス２３が固定されおり、背面カバースリット４に固定されている腰クッションベース用面ファスナーオス２と接合することで背面部と腰クッション部が接合される。
腰クッションベース用面ファスナーオス２と腰クッションベース面ファスナーメス２３は、高さが１０cm程度あり接合させる位置によって高さを調整できる。座面２４の上に厚手のクッションを使用した場合や体型の違いや好みにより腰クッション２１が背中にあたる位置を調整したい時に利用する。
【００３６】
座面部は背面カバー１の底面に沿って座面２４を縫製する。座面２４はカーブを描いており背面カバー１の底辺と縫製することで背面部は湾曲した形状となる。素材は背面カバー１と同様で良いが、すべりにくい素材が好ましい。すべりやすいと臀部が前にずれて姿勢が悪くなるからである。裏表の面に滑り止め用のシートを固定しても良い。
本発明は、図１２に図１３記している様に一般的な背もたれのある椅子や座椅子に乗せて使用することを想定しており、座面のクッションは好みに応じて使用できる様に省いている。
また、腰クッション２１、右骨盤クッション１１、左骨盤クッション３１は、形状を調整しやすい発泡ビーズを使用したクッションでも良い。
発泡ビーズは蓄熱性が高いが、それを包むものとして温熱効果のある機能性生地等を利用するのも好ましい。近年、低体温症の人が増えており、腹部を温めることにより、内臓も活性化され脂肪も燃焼しやすくなるためである。
右パッド１７と左パッド３７を接合する方法においては、フック等を利用したものでもかまわない。
また、接合するための面ファスナーのオスメスに関しては逆でも特に問題はない。
【実施例１】
【００３７】
図８に記している様に臀部が腰クッションベース２２に接する様に深く腰掛け、腰クッション２１に背骨が軽く当たる程度にする。
これで背骨は正しい姿勢と言われているカーブを描く。
次に右骨盤サポートパッド１７を前方に左骨盤サポートパッド３７を手前にして下腹部の中央に引っ張り、右骨盤サポートパッド面ファスナーオス１８と左骨盤サポートパッド面ファスナーメス３７を接合する。
これにより右骨盤サポートパッド１７に固定された右バンド１６と左骨盤サポートパッド３７に固定された左バンド３６が伸び、左右の骨盤サポート板が内側の骨盤クッションを広く面で押圧する。押圧された左右の骨盤クッションは骨盤の側面及び脇腹を包み込む様にフィットして圧力がかかり、着座姿勢を保持する。
図７は、使用時の上から見た図であるが人物の腹部断面４１でわかる様に左右の骨盤サポート板と骨盤クッションによって、隙間ができることにより腹部前方には、ほとんど圧迫を与えない構造となっている
図９は使用時の背骨と骨盤の形状と左骨盤クッション断面図５３と右骨盤クッション断面図５４を表した正面図である。骨盤クッションは低反発なので身体にフィットし包み込む様にして心地良く姿勢を安定させる。図９に記している様に骨盤の上部は皮膚と骨までの厚さが少なく多少強く圧迫してもそれほど不快にはならない。
【実施例２】
【００３８】
図１０で記している様に体型の違いや好みにより締めつけ具合を調整することが可能である。
調整の方法は背面部と骨盤サポート部を接合している面ファスナー（右骨盤サポート用面ファスナーオス５と右骨盤サポート面ファスナーメス１３、左骨盤サポート用面ファスナーオス４と左骨盤サポート面ファスナーメス３３）を離し、背面カバースリット３に挿入されている左右の骨盤サポート部を任意の長さに調整後、前述の面ファスナーを再び接合させる。
図１１は右骨盤サポート部の長さ調整を説明するための上から見た断面図である。
骨盤サポート部の長さが短い時（左側の図）は右骨盤サポート面ファスナーメス１３の下の部分に右骨盤サポート用面ファスナーオス５に接合されているが、骨盤サポート部の長さが長い時（右側の図）右骨盤サポート面ファスナーメス１３の上の部分に右骨盤サポート用面ファスナーオス５に接合されている。
この右左の骨盤サポート面ファスナーメスの長さ（幅）が長い程、調整の幅は広がる。
【実施例３】
【００３９】
図１４、図１５、図１６は形状の展開例である。
図１４は背面部が椅子の背もたれと一体化したものである。
図１５は背面部が座椅子の背もたれと一体化したものである。
図１４、図１５の展開例に関して、高さの調整はできなくなるが腰クッション部を背もたれに同化させても良い。
図１６は腰クッション部の形状展開例である。臀部があたる部分は窪み腰椎があたる部分は膨らみをもたせ胸椎までなだらかな窪みをもたせた３次曲面のクッションである。正しい着座姿勢とされる背骨の形状に沿った形であり、幅広く背中を包む。低反発より中〜高反発のクッション性が好ましい。
【実施例４】
【００４０】
図１７は椅子に座り、腹筋及びふくらはぎの運動を実施している側面図である。
両手を背面部の端に添えて固定する（１７−Ａ）。
次に下腹部に力を入れ重心をゆっくり前方に移動させる。（１７−Ｂ）
左右のバンドが伸び腹部を圧迫しそれが負荷となり腹筋が鍛えられる。同時にかかとを上げると、より効果的である。
手が固定され前に傾くことで肩甲骨が後ろに反り、ストレッチ効果もある。
【実施例５】
【００４１】
図１８は椅子に座り、腹筋及び太腿の運動を実施している側面図である。
両手を背面部の端に添えて固定する（１８−Ａ）。
次に両太腿を持ち上げる（１８−Ｂ）。
左右の骨盤サポート板が太腿に当接するためそれが負荷になり、何もない状態と比較して運動効果が上がる。また骨盤を左右から保持しているので安定しており腰の負担も少ない。
【実施例６】
【００４２】
図１９は座椅子に座り、腹筋の運動を実施している側面図である。
両手を背面部の端に添えて固定し少し後方に倒れる（１９−Ａ）。
背面カバー部と腰クッション部の下の部分が支点となり後方に倒れこむのを防ぐため、腹筋運動の補助として足や膝を固定する必要がない。
次に下腹部に力を入れ重心をゆっくり前方に移動させる。（１９−Ｂ）
左右のバンドが伸び腹部を圧迫し、それが負荷となるので何も無い状態より効率的に腹筋が鍛えられる。
【実施例７】
【００４３】
図２０は腰クッション２１を腰クッションベース２２利用して背筋伸ばしを説明する図である。分かり易い様に腰クッション断面図５１、腰クッションベース断面図５２で描いている。
良い姿勢でも長時間同じ姿勢で過ごすと筋肉は疲労し血行が悪くなる。その際にはストレッチが有効である。
本発明は後ろに大きく体重をかけ身体を反らすと腰クッション２１が疲れの溜まりやすい腰椎部分を強く押圧し、指圧効果もあり心地良くストレッチすることが可能である。これは腰枕等を下に敷き仰向けで寝ると心地良いストレッチになるのと同様の効果である。
【産業上の利用可能性】
【００４４】
本発明は、左右から骨盤と脇腹を包み込みつつ押圧し、腹部には圧迫をかけず正しい着座姿勢を安定して保持することが可能であり腰痛予防及び改善が期待できる。体格や好みに応じた調整も可能であり多くの人が利用できる。簡単に腹筋運動等を実施することも可能であり部材や製造工程においては特殊なものを必要とせず構造も簡素なので比較的安価で提供可能である。
【符号の説明】
【００４５】
１    背面カバー
２    腰クッションベース用面ファスナーオス
３    背面カバースリット
４    左骨盤サポート用面ファスナーオス
５    右骨盤サポート用面ファスナーオス
６    背面カバー板
１１  右骨盤サポートクッション
１２  右骨盤サポートカバー  
１３  右骨盤サポートカバー面ファスナーメス
１４  右骨盤サポート板
１５  右バンド用面ファスナーオス
１６  右バンド
１７  右パッド
１８  右パッド面ファスナーオス
１９  右バンド面ファスナーメス
２１  腰クッション
２２  腰クッションベース
２３  腰クッションベース面ファスナーメス
２４  座面
３１  左骨盤サポートクッション
３２  左骨盤サポートカバー  
３３  左骨盤サポートカバー面ファスナーメス
３４  左骨盤サポート板
３５  左バンド用面ファスナーオス
３６  左バンド
３７  左パッド
３８  左パッド面ファスナーメス
３９  左バンド面ファスナーメス
４１  人物の腹部断面
５１  腰クッション断面図
５２  腰クッションベース断面図
５３  左骨盤クッション断面図
５４  右骨盤クッション断面図
【図１】
2015006244.tif 000003
【図２】
2015006244.tif 000004
【図３】
2015006244.tif 000005
【図４】
2015006244.tif 000006
【図５】
2015006244.tif 000007
【図６】
2015006244.tif 000008
【図７】
2015006244.tif 000009
【図８】
2015006244.tif 000010
【図９】
2015006244.tif 000011
【図１０】
2015006244.tif 000012
【図１１】
2015006244.tif 000013
【図１２】
2015006244.tif 000014
【図１３】
2015006244.tif 000015
【図１４】
2015006244.tif 000016
【図１５】
2015006244.tif 000017
【図１６】
2015006244.tif 000018
【図１７】
2015006244.tif 000019
【図１８】
2015006244.tif 000020
【図１９】
2015006244.tif 000021
【図２０】
2015006244.tif 000022